(57)【特許請求の範囲】
【請求項１】
２つの板部で断面略Ｌ字形を形成するダクト本体と、
前記ダクト本体の内部に嵌め込まれるケーブルホルダーと、
前記ダクト本体の解放面を覆うカバー材と、
を備え、
前記２つの板部のうち、一方の板部の内面に前記ケーブルホルダーの一端部を揺動可能に支持するホルダー支持部を設け、他方の板部の内面に前記ケーブルホルダーの他端部を係止する係止突起を設け、このホルダー支持部と係止突起との間に前記ケーブルホルダーを挟入して嵌め込むようにし、
前記ケーブルホルダーは、前記ホルダー支持部と前記係止突起との間に挟入されて前記ダクト本体側へと接近するように湾曲した基部と、前記基部の中途部分から前記カバー材側へと接近するように湾曲して上方に突出する受け部と、を有し、前記基部と前記受け部とでケーブルを保持する
ことを特徴とする、配線ダクト。
【請求項２】
前記ダクト本体に分岐用のダクトを差し込むための切欠きを設けたことを特徴とする、請求項１記載の配線ダクト。
【請求項３】
前記ホルダー支持部と隣接する位置に前記カバー材の一端部を揺動可能に支持するカバー支持部を設け、
前記係止突起と隣接する位置に前記カバー材の他端部と係合する係合部が設けられていることを特徴とする、請求項１又は２記載の配線ダクト。
【請求項４】
前記２つの板部のうちの少なくともいずれかの外壁面に、前記２つの板部で形成される角部側を低くした段差を形成したことを特徴とする、請求項１〜３のいずれかに記載の配線ダクト。
【請求項５】
前記２つの板部のうちの少なくともいずれかの外壁面に、凸部を形成したことを特徴とする、請求項１〜４のいずれかに記載の配線ダクト。
【請求項６】
前記カバー材の少なくとも一方の端縁付近に、外側に突出した摘持部が形成されていることを特徴とする、請求項１〜５のいずれかに記載の配線ダクト。
【請求項７】
請求項１〜６のいずれかに記載の配線ダクトを使用した配線ダクトの取付方法であって、
前記カバー材を前記ダクト本体に対して長手方向にずらして取り付けたのち、前記カバー材をスライドさせて取り付けることを特徴とする、配線ダクトの取付方法。
【発明の詳細な説明】
【技術分野】
【０００１】
本発明は、配線ダクト及び配線ダクトの取付方法に関し、主に屋内の壁・天井部で使用する配線ダクト及び配線ダクトの取付方法に関するものである。
【背景技術】
【０００２】
従来、光ケーブルや電線ケーブル等を配線ダクトで覆うことにより、ケーブルを破損等から保護することが行われている。また、こうした配線ダクトにおいて、内部にケーブルを保持するためのケーブルホルダーを備えるものも存在する。
【０００３】
例えば、特許文献１には、配線ダクトのベース材の内底面にケーブルホルダーを接着して固定したものが開示されている。
【０００４】
また、特許文献２には、ケーブルを固定する留め具（ケーブルホルダーに相当）を配線ダクトの本体に一体に接合したものが開示されている。
【先行技術文献】
【特許文献】
【０００５】
【特許文献１】特開２００２−３１４２６８号公報
【特許文献２】特開２００８−９２６６６号公報
【発明の概要】
【発明が解決しようとする課題】
【０００６】
しかし、上記した特許文献１記載の配線ダクトでは、配線ダクトのベース材の内底面にケーブルホルダーを接着して固定しているため、作業に手間がかかるとともに、一度接着してしまうと位置の変更が困難であり、作業効率が悪いという問題点があった。
【０００７】
また、上記した特許文献２記載の配線ダクトでは、ケーブルホルダーを配線ダクトの本体に一体に接合しているため、加工に時間を要し、作業性が悪いという問題点があった。
【０００８】
そこで、本発明は、取付作業が容易で作業性の良い配線ダクトを提供することを課題とする。
【課題を解決するための手段】
【０００９】
本発明は、上記した課題を解決するためになされたものであり、以下を特徴とする。
【００１０】
（請求項１）
請求項１に記載の配線ダクトは、２つの板部で断面略Ｌ字形を形成するダクト本体と、
前記ダクト本体の内部に嵌め込まれるケーブルホルダーと、前記ダクト本体の解放面を覆うカバー材と、を備え、前記２つの板部のうち、一方の板部の内面に前記ケーブルホルダーの一端部を揺動可能に支持するホルダー支持部を設け、他方の板部の内面に前記ケーブルホルダーの他端部を係止する係止突起を設け、このホルダー支持部と係止突起との間に前記ケーブルホルダーを挟入して嵌め込むようにし、前記ケーブルホルダーは、前記ホルダー支持部と前記係止突起との間に挟入されて前記ダクト本体側へと接近するように湾曲した基部と、前記基部の中途部分から前記カバー材側へと接近するように湾曲して上方に突出する受け部と、を有し、前記基部と前記受け部とでケーブルを保持することを特徴とする。
【００１１】
（請求項２）
請求項２に記載の発明は、上記した請求項１に記載の発明の特徴点に加え、以下を特徴とする。
【００１２】
請求項２に記載の配線ダクトは、前記ダクト本体に分岐用のダクトを差し込むための切欠きを設けたことを特徴とする。
【００１３】
（請求項３）
請求項３に記載の発明は、上記した請求項１又は２に記載の発明の特徴点に加え、以下を特徴とする。
【００１４】
請求項３に記載の配線ダクトは、前記ホルダー支持部と隣接する位置に前記カバー材の一端部を揺動可能に支持するカバー支持部を設け、前記係止突起と隣接する位置に前記カバー材の他端部と係合する係合部が設けられていることを特徴とする。
【００１７】
（請求項４）
請求項４に記載の発明は、上記した請求項１〜３のいずれかに記載の発明の特徴点に加え、以下を特徴とする。
【００１８】
請求項４に記載の配線ダクトは、前記２つの板部のうちの少なくともいずれかの外壁面に、前記２つの板部で形成される角部側を低くした段差を形成したことを特徴とする。
【００１９】
（請求項５）
請求項５に記載の発明は、上記した請求項１〜４のいずれかに記載の発明の特徴点に加え、以下を特徴とする。
【００２０】
請求項５に記載の配線ダクトは、前記２つの板部のうちの少なくともいずれかの外壁面に、凸部を形成したことを特徴とする。
【００２１】
（請求項６）
請求項６に記載の発明は、上記した請求項１〜５のいずれかに記載の発明の特徴点に加え、以下を特徴とする。
【００２２】
請求項６に記載の配線ダクトは、前記カバー材の少なくとも一方の端縁付近に、外側に突出した摘持部が形成されていることを特徴とする。
【００２３】
（請求項７）
請求項７に記載の発明は、請求項１〜６のいずれかに記載の配線ダクトを使用した配線ダクトの取付方法であって、以下を特徴とする。
【００２４】
請求項７に記載の配線ダクトの取付方法は、前記カバー材を前記ダクト本体に対して長手方向にずらして取り付けたのち、前記カバー材をスライドさせて取り付けることを特徴とする。
【発明の効果】
【００２５】
請求項１に記載の発明は上記の通りであり、ダクト本体に対してケーブルホルダーを挟入して嵌め込むようにしたため、取付作業が容易で作業性の良い配線ダクトを提供することができる。また、ケーブルホルダーが着脱可能なため、ケーブルホルダーの取付位置を変更することができる。特に、ケーブルホルダーの基部がダクト本体側へと接近するように湾曲しており、この基部と受け部とでケーブルを保持するようにしたため、ダクト内の空間を広く使ってケーブルを保持でき、ダクト内の空間を有効に利用してケーブルを保持することができる。また、受け部がカバー材側へと接近するように湾曲しているため、ケーブルがケーブルホルダーから脱落しにくくなっている。
【００２６】
また、請求項２に記載の発明によれば、分岐用のダクトを差し込むための切欠きを設けたため、ダクトを分岐させることができ、ケーブルを効率良く配線することができる。
【００２７】
また、請求項３に記載の発明によれば、ケーブルホルダーとカバー材とがほぼ同じ位置において固定されるため、ダクト内の空間を有効に利用してケーブルを保持することができる。
【００２９】
また、請求項４に記載の発明によれば、ダクト本体の外壁面に角部側が低くなるように段差を形成したため、例えば取付位置の天井や壁に出っ張りが存在する場合でも、この段差によって出っ張りを吸収することができ、納まり良く配線ダクトを取り付けることができる。
【００３０】
また、請求項５に記載の発明によれば、ダクト本体の外壁面に凸部を形成したため、ダクト本体を天井や壁に取り付けた際に、この外壁面が天井や壁などに密接せず、間隙を有するようになっている。このため、ダクト本体にカバー材を嵌め込む際の余裕が確保され、スムーズにカバー材を取り付けることができる。
【００３１】
また、請求項６に記載の発明によれば、カバー材の少なくとも一方の端縁付近に、外側に突出した摘持部が形成されているため、この摘持部を手掛かりにして、一度取り付けたカバー材を簡単に外すことができる。
【００３２】
また、請求項７に記載の発明によれば、カバー材をダクト本体に対して長手方向にずらして取り付けたのち、カバー材をスライドさせて取り付けるようにしたため、部屋のコーナーに配線ダクトを設置する場合に、コーナーで隣接するカバー材を相互に干渉させることなく取り付けることができる。
【図面の簡単な説明】
【００３３】
【図１】本発明の実施の形態であって、配線ダクトの使用状態を示す全体図である。
【図２】本発明の実施の形態であって、配線ダクトの部品説明図である。
【図３】本発明の実施の形態であって、（ａ）水平ダクトの断面図、（ｂ）垂直ダクトの断面図である。
【図４】本発明の実施の形態であって、入隅における配線ダクトの取り付け方を説明するための分解図である。
【図５】本発明の実施の形態であって、出隅における配線ダクトの取り付け方を説明するための分解図である。
【図６】本発明の実施の形態であって、分岐部における配線ダクトの取り付け方を説明するための分解図である。
【発明を実施するための形態】
【００３４】
本発明の実施形態について、図を参照しながら説明する。
【００３５】
図１に示すように、本実施形態に係る配線ダクト１は、天井と壁との間に設けられる水平ダクト２と、この水平ダクト２に設けられた切欠き１０に差し込まれる分岐用の垂直ダクト４０とを備えている。
【００３６】
（水平ダクト２）
水平ダクト２は、図２に示すように、断面略Ｌ字形のダクト本体３と、ダクト本体３の内部に嵌め込まれるケーブルホルダー３０と、ダクト本体３の解放面を覆うカバー材２０と、からなる。
【００３７】
（ダクト本体３）
ダクト本体３は、図３（ａ）に示すように、断面略Ｌ字形の部材であり、壁側に固定される垂直板部４と、天井側に位置する水平板部１１と、で角部１７を形成したものである。
【００３８】
ここで、垂直板部４の外壁面である壁接触面５は平坦に形成されているものの、水平板部１１の外壁面である天井接触面１２は、角部１７側が低くなるように段差１５が形成されている。この段差１５は、天井に出っ張りが存在する場合でも、この段差１５によって出っ張りを吸収し、納まり良くダクト本体３を取り付けるためのものである。
【００３９】
また、この天井接触面１２には、上記した段差１５の立ち上がり部と連続するように凸部１６が形成されている。この凸部１６は、ダクト本体３を天井に取り付けた際に、天井接触面１２と天井との間に間隙を生むためのものであり、これにより、後述するカバー材２０の嵌め込みを容易とするためのものである。
【００４０】
なお、上述した垂直板部４の下端は、壁とは逆方向に突出した延出部６を形成しており、この延出部６において、後述するケーブルホルダー３０及びカバー材２０の下端が保持されることとなっている。
【００４１】
すなわち、延出部６には、延出部６の中程から分岐する鉤部７が設けられており、この鉤部７により、ケーブルホルダー３０の下端部を揺動可能に支持するホルダー支持部８と、カバー材２０の下端部を揺動可能に支持するカバー支持部９と、が形成されている。鉤部７の基部付近においては、垂直板部４の内壁面と、延出部６の基部付近の内壁面と、鉤部７の基部付近の外壁面と、で形成される凹部がホルダー支持部８を形成しており、また、鉤部７の先端付近においては、鉤部７の内壁面と、延出部６の先端付近の内壁面と、で形成される凹部がカバー支持部９を形成している。
【００４２】
一方、水平板部１１の内面には、カバー材２０の下端部が係合される係合部１４、及びケーブルホルダー３０の上端部が係止される係止突起１３が形成されている。図３（ａ）に示すように、係合部１４は、水平板部１１の内面が下方に膨出した形状をしており、カバー材２０の係合片２２と嵌合するようになっている。また、係止突起１３は、係合部１４よりも壁側に、係合部１４と隣接して設けられている。この係止突起１３は、係合部１４側においては係合片２２の壁方向への移動を制限する役割を果たし、壁側においてはケーブルホルダー３０の上端部を係止する役割を果たす。
【００４３】
（ケーブルホルダー３０）
ケーブルホルダー３０は、水平ダクト２の内部においてケーブル６０を保持するためのものであり、ダクト本体３の内部に嵌め込まれて固定されるものである。
【００４４】
このケーブルホルダー３０は、ダクト本体３に嵌め込まれたときにダクト本体３側へと接近するように湾曲する基部３１と、この基部３１の中途部分からカバー材２０側へと接近するように湾曲して上方に突出する受け部３２と、を有している。
【００４５】
基部３１は、上述したホルダー支持部８と係止突起１３との間に挟入されることにより、その両端を支持されるものである。これにより、ケーブルホルダー３０がダクト本体３に嵌め込み固定されるようになっている。
【００４６】
このケーブルホルダー３０をダクト本体３に嵌め込む際には、まず、基部３１の下端部をホルダー支持部８に係合させる。これにより、ホルダー支持部８の凹部に基部３１の下端部が揺動可能に支持される。この状態で、基部３１の上端部を係止突起１３の壁側に押し込み、これにより、ケーブルホルダー３０を嵌め込み固定する。
【００４７】
（カバー材２０）
カバー材２０は、ダクト本体３の解放面を覆うための部材である。
【００４８】
図３（ａ）に示すように、このカバー材２０の下端部には挿入片２３が下方へ向けて突出形成されており、この挿入片２３は、上述したダクト本体３のカバー支持部９へ挿入可能に形成されている。
【００４９】
また、カバー材２０の上端部には係合片２２が嵌込方向へ向けて突出形成されており、この係合片２２は、上述したダクト本体３の係合部１４に密着して嵌合するように形成されている。
【００５０】
このカバー材２０をダクト本体３に嵌め込む際には、まず、下端の挿入片２３をカバー支持部９に係合させる。これにより、カバー支持部９の凹部に挿入片２３が揺動可能に支持される。この状態で、カバー材２０の上端側に設けられた係合片２２を壁側に押し込んで、係合部１４に嵌合させる。これにより、カバー材２０を嵌め込み固定する。
【００５１】
なお、カバー材２０をダクト本体３に嵌め込み固定した場合、カバー材２０の上端付近に設けられた摘持部２１が水平ダクト２の外側に突出するようになっている。このため、この摘持部２１へ手を掛けたり、工具を掛けて引き下げることにより、係合片２２を係合部１４から引っ張り出すことができ、一度取り付けたカバー材２０を簡単に外すことができるようになっている。
【００５２】
（垂直ダクト４０）
垂直ダクト４０は、図２に示すように、壁に固定される固定部４１と、固定部４１を覆うカバー４２と、からなる。この垂直ダクト４０は、図３（ｂ）に示すように、内部にケーブル６０を収容して使用される。
【００５３】
（配線ダクトの取付方法）
次に、図４〜６を見ながら、本実施形態に係る配線ダクト１の取付方法について説明する。
【００５４】
図４は、本発明の実施の形態であって、入隅における配線ダクト１の取り付け方を説明するための分解図である。
【００５５】
この図４が示すように、入隅両側に配置するダクト本体３を相互に固定するために、Ｌ字型の固定金具５０を２つのダクト本体３の内壁面を連結するように固定し、連結されたダクト本体３を壁と天井の境目に取付ける。次に、ケーブルホルダー３０をダクト本体３に嵌め込む。そして、ケーブル６０をケーブルホルダー３０に保持させたのちに、カバー材２０を取り付ける。カバー材２０を取り付ける際には、カバー材２０をダクト本体３の入隅長手方向へずらした位置で取り付けたのちに、カバー材２０を入隅頂部へスライドさせて取り付けるようにする。これにより、入隅で隣接するカバー材２０を相互に干渉させることなく取り付けることができる。このように取り付けたカバー材２０は、摘持部２１へ手を掛けたり、工具等を使用して入隅頂部より長手方向へ離れるようにカバー材２０をスライドさせたりすることで、係合片２２を係合部１４から取り外すことができ、容易に取り外し可能となっている。なお、特に図示しないが、入隅で隣接するカバー材２０係合片を相互に干渉しない形状に切り欠いても良い。
【００５６】
次に、図５は、出隅における配線ダクト１の取り付け方を説明するための分解図である。
【００５７】
この図５が示すように、出隅においても入隅と同様に、固定金具５０を用いて、２つのダクト本体３を内壁面において連結し、連結されたダクト本体３を壁と天井の境目に取り付ける。次に、ケーブルホルダー３０をダクト本体３に嵌め込む。そして、ケーブル６０をケーブルホルダー３０に保持させたのちに、カバー材２０を取り付ける。なお、入隅と同様に、カバー材２０を出隅頂部から離れた位置で取り付けて、出隅頂部方向へスライドさせて取り付けたり、出隅頂部より長手方向へ離れるようにカバー材２０をスライドさせて係合片２２を係合部１４から取り外したりしても良い。また、上述の入隅・出隅における配線ダクト１の取り付け時において、Ｌ字型の固定金具５０を使用せず、ダクト本体３を直接壁面に固定しコーナーを形成しても良い。
【００５８】
最後に、図６は、分岐部における配線ダクト１の取り付け方を説明するための分解図である。
【００５９】
この図６が示すように、ダクト本体３には、垂直板部４から延出部６にかけて切欠き１０が設けられており、また、カバー材２０においても、この切欠き１０に対応する部分に切欠きが設けられている。これによって、この切欠き１０に垂直ダクト４０が差し込み可能となり、配線ダクト１の分岐が可能である。
【００６０】
この分岐部における配線ダクト１の取り付け方は以下のとおりである。
【００６１】
すなわち、まず壁と天井の境目にダクト本体３を取り付けるとともに、ダクト本体３の切欠き１０に合わせて垂直ダクト４０の固定部４１を壁に取り付ける。そして、ケーブルホルダー３０をダクト本体３に嵌め込む。そして、ケーブル６０をケーブルホルダー３０に保持させたのちに、カバー材２０を取り付け、かつ、垂直ダクト４０の固定部４１にケーブル６０を収容した状態でカバー４２を取り付ける。
【００６２】
以上のように、本実施形態に係る配線ダクト１は、ダクト本体３に対してケーブルホルダー３０を挟入して嵌め込むようになっており、取付作業が容易で作業性の良いものとなっている。
【００６３】
また、ダクト本体３においては、ホルダー支持部８と隣接する位置にカバー支持部９を設け、係止突起１３と隣接する位置に係合部１４が設けられているため、ケーブルホルダー３０とカバー材２０とがほぼ同じ位置においてダクト本体３に固定されることとなっている。しかも、ケーブルホルダー３０の基部３１がダクト本体３側へと接近するように湾曲しており、この基部３１と受け部３２とでケーブル６０を保持するようになっている。このため、ダクト本体３内の空間のほとんどがケーブル６０の保持に使用されるようになっており、ダクト本体３内の空間を有効に利用してケーブル６０を保持できるようになっている。
【符号の説明】
【００６４】
１  配線ダクト
２  水平ダクト
３  ダクト本体
４  垂直板部（板部）
５  壁接触面
６  延出部
７  鉤部
８  ホルダー支持部
９  カバー支持部
１０  切欠き
１１  水平板部（板部）
１２  天井接触面
１３  係止突起
１４  係合部
１５  段差
１６  凸部
１７  角部
２０  カバー材
２１  摘持部
２２  係合片
２３  挿入片
３０  ケーブルホルダー
３１  基部
３２  受け部
４０  垂直ダクト
４１  固定部
４２  カバー
５０  固定金具
６０  ケーブル
【図１】
0005890632.tif 000002
【図２】
0005890632.tif 000003
【図３】
0005890632.tif 000004
【図４】
0005890632.tif 000005
【図５】
0005890632.tif 000006
【図６】
0005890632.tif 000007